(57)【要約】【課題】服用日が特定される薬剤、特に服用間隔が長い薬剤について、服用管理を的確に行い、且つ使用者が容易に薬剤の取り出しを行うことが可能となる包装体を提供する。【解決手段】包装体Ｐは、薬剤３１が収納された薬剤収納部３２を有するＰＴＰシート３０を保持するトレー１０と、トレー１０を収容しトレー１０に対してスライドする外函２０と、を備えている。トレー１０は、薬剤収納部３２と重なる位置に薬剤３１が挿通可能な取出し孔１１ａ，１２ａが形成され、外函２０は、薬剤収納部３２が目視可能となる位置に窓部２１ｂを有し、薬剤収納部３２には、一回に服用される薬剤３１が収納されることを特徴とする。【選択図】図１
2012143308.tif 000002
【特許請求の範囲】
【請求項１】
薬剤が収納された薬剤収納部を有するＰＴＰシートを保持するトレーと、該トレーを収容し前記トレーに対してスライドする外函と、を備えた包装体であって、
前記トレーは、前記薬剤収納部と重なる位置に前記薬剤が挿通可能な取出し孔が形成され、
前記外函は、前記薬剤収納部が目視可能となる位置に窓部を有し、
前記薬剤収納部には、一回に服用される薬剤が収納されることを特徴とする包装体。
【請求項２】
前記トレーは、前記ＰＴＰシートを狭持する表片と裏片とを備え、
前記取出し孔は、前記表片及び前記裏片に形成され、
前記表片の前記取出し孔には、前記薬剤収納部が挿通されてなることを特徴とする請求項１に記載の包装体。
【請求項３】
前記トレーは、前記外函から引き出される側に把持部を有し、
該把持部は、前記表片から前記薬剤収納部が突出した側に凸設されると共に、押圧された際に略平面状に変形可能であることを特徴とする請求項２に記載の包装体。
【請求項４】
前記外函は、前記把持部と重なる部分が切り欠かれた切り欠き部を備えてなることを特徴とする請求項３に記載の包装体。
【請求項５】
前記把持部は、前記表片から立ち上がる内側側面と、該内側側面から延設される上面と、該上面から延設される外側側面と、を有する中空体であることを特徴とする請求項３又は４に記載の包装体。
【請求項６】
前記トレーは、前記外函のスライド方向に沿う縁辺において誘導片が延設されてなることを特徴とする請求項１乃至５のいずれか一項に記載の包装体。
【請求項７】
前記トレーには、前記把持部に隣接する位置に前記薬剤の服用を促す表示部材が貼付され、
該表示部材は、前記表片に貼付される接着部と、該接着部から鉤状に折曲されると共に前記把持部に沿って配設された折曲部と、を有し、
前記接着部は、前記表片から剥がされた後、他の物品に再度貼付可能に形成されてなることを特徴とする請求項３乃至６のいずれか一項に記載の包装体。
【請求項８】
前記表片又は前記裏片は、前記表片と前記裏片とを引き剥がすための剥離起点部を備えてなることを特徴とする請求項２乃至７のいずれか一項に記載の包装体。
【請求項９】
前記トレーには、前記外函のスライド方向に沿って押罫が形成されてなることを特徴とする請求項１乃至８のいずれか一項に記載の包装体。
【請求項１０】
前記薬剤は、ビスホスホネート製剤であることを特徴とする請求項１乃至９のいずれか一項に記載の包装体。
【請求項１１】
前記薬剤は、２週間に１回以下の投与頻度である製剤であることを特徴とする請求項１乃至１０のいずれか一項に記載の包装体。
【発明の詳細な説明】
【技術分野】
【０００１】
本発明は、特定日に服用する１回分の薬剤を収納するための包装体に係り、特に服用間隔が長い薬剤の服用管理を的確且つ容易に行うために用いられる包装体に関する。
【背景技術】
【０００２】
従来、医薬品の包装においては、プレススルーパッケージ（ＰＴＰ）シートが広く用いられている。ＰＴＰシートは、容器に被包装物を収容した後、破れやすい蓋材によってシールする形態の包装体であり、容器側から蓋材側に向かって押圧することにより蓋材が破れ、被包装物が取り出される。このようなＰＴＰシートは、気密性、取り扱い性、携帯性、生産性に優れ、且つ省資源化できることから、医薬品の包装体として、今後の需要はさらに高くなると予想される。
【０００３】
しかしながら、ＰＴＰシートで包装された薬剤は、複数個が連続して１枚のＰＴＰシートに包装された状態が一般的であり、服用時、患者が一回分の服用個数（服用量）を誤る可能性がある。
【０００４】
そして、薬剤の服用量だけでなく、服用頻度や、その他の使用上の注意事項を的確に使用者に伝達するために、特許文献１では、服用上の留意事項を記載したカード型包装材に、ＰＴＰシートを封止する技術が開示されている。このように、服用上の注意、服用履歴等が記載されたカード型包装体にＰＴＰシートが保持されることにより、適切な服用管理の下、患者が薬剤を服用することができる。
【先行技術文献】
【特許文献】
【０００５】
【特許文献１】特許第３１７２６７９号公報
【発明の概要】
【発明が解決しようとする課題】
【０００６】
特許文献１には、ＰＴＰシートを狭持するカード型包装材において、ＰＴＰシートの凸部（薬剤が収納された部分）に対応する位置に、それぞれ孔が形成されたカード型包装体が開示されている。そして、そのカード型包装材には、薬剤についての情報や注意事項等が印刷されており、複数の服用回数分（例えば、一週間分）の薬剤が包装されている。
【０００７】
このように、ＰＴＰシートの薬剤が収納された部分において台紙に孔を設ける構成とすることにより、患者は、ＰＴＰシートの薬剤が収納された部分を押圧するだけで薬剤を取り出すことができる。そして、台紙には薬剤についての情報、服用日等が印刷可能であることから、服用管理を的確に行うことができる。
【０００８】
一方、医薬品の使用・服用頻度に関し、患者の利便性や安全性の向上のため、服用間隔が長い、すなわち、服用頻度が低くても効果を発揮する事ができる医薬品が求められている。このような服用間隔が長い医薬品の例として、例えば、ビスホスホネート製剤が挙げられる。
【０００９】
ビスホスホネート製剤は、骨粗鬆症等の治療に有用な骨吸収抑制剤である。ビスホスホネート製剤は、服用方法が厳しく設定されており、より服用間隔を長くした製剤が求められているため、１日１回の服用に代わるものとして、週１回、さらには月１回という服用間隔が長い製剤が開発されている。
【００１０】
しかしながら、このような週１回、月１回という服用頻度が低い薬剤は一般的でなく、特に、複数の服用回数分の薬剤が連続して包装されていると、１日に１〜３回という服薬頻度に慣れた患者が誤ってより高い頻度で服用してしまう可能性がある。さらに、薬剤の服用間隔が長いため、患者が服用し忘れ、本来服用すべき日に服用せず、服用時期が正しく守られない可能性も否定できない。
【００１１】
特許文献１に開示された技術では、カード型包装材において薬剤の情報、服用日等が印刷可能であるものの、複数の服用回数分の薬剤が連続して包装されているため、週１回、月２回、或いは月１回等のように、服用間隔が極めて長い薬剤に適用すると、患者が服用し忘れる可能性がある。
したがって、週１回、月２回、２週に１回、４週に１回、月１回或いは２ヶ月に１回等の服用間隔が長い薬剤の服用管理を適正に行い、患者が正しい服用日に忘れずに薬剤を服用することを可能とする包装体が望まれていた。
【００１２】
また、薬剤が収納されたＰＴＰシートは、複数の服用回数分が連続して包装されており、さらに、そのＰＴＰシートは、紙またはアルミ素材を含む袋等に包装されている。そして、病院等において薬剤が取り扱われる際には、薬剤師が紙箱、紙袋等を一度開封し、内部の薬剤の状態を確認してから患者に手渡される。さらに、薬剤師が患者に薬剤を手渡す際においても、内部の薬剤の状態を薬剤師と患者が目視し、確認する必要がある。したがって、薬剤が患者に手渡される際には、内部に収納された薬剤の確認作業において開封する作業が必要となり、確認作業が煩雑となるという不都合があった。
【００１３】
本発明の目的は、服用日が特定される薬剤、例えば服用頻度が低い、すなわち服用間隔が長い薬剤について、適度な剛性を備え、被包装体を物理的に保護することが可能である包装体を提供することにある。また、本発明の他の目的は、内部に収納された薬剤が視認可能であり、薬剤師や患者によって容易に薬剤の確認を行うことが可能な包装体を提供することにある。さらにまた、本発明の他の目的は、服用日が特定される薬剤、例えば服用間隔が長い薬剤について、服用管理を的確に行い、且つ使用者が容易に薬剤の取り出しを行うことが可能となる包装体を提供することにある。
【課題を解決するための手段】
【００１４】
前記課題は、本発明に係る包装体によれば、薬剤が収納された薬剤収納部を有するＰＴＰシートを保持するトレーと、該トレーを収容し前記トレーに対してスライドする外函と、を備えた包装体であって、前記トレーは、前記薬剤収納部と重なる位置に前記薬剤が挿通可能な取出し孔が形成され、前記外函は、前記薬剤収納部が目視可能となる位置に窓部を有し、前記薬剤収納部には、一回に服用される薬剤が収納されること、により解決される。
【００１５】
このように、本発明の包装体は、一回に服用される薬剤のみが包装体に収められている。したがって、使用者が一回の服用量を誤ることを防止でき、服用管理を的確に行うことができる。
さらに、本発明の包装体は、内部に収納されるトレーにＰＴＰシートが固定される構成であるが、トレー上の薬剤収納部と重なる位置において、薬剤が挿通可能な取出し孔を備えているため、ＰＴＰシートの薬剤収納部（凸部）を押圧するだけで薬剤を取り出し可能である。また、ＰＴＰシートを押圧するには、スライドオープン式の外函からトレーを引き出すだけでよい。したがって、高齢者等、指先を自由に動かすことが難しい使用者にとっても容易に薬剤を取り出すことができる。
一方、一回に服用される薬剤のみが収納されるＰＴＰシートは、薬剤収納部の数が１〜２個程度であり、複数の服用回数分の薬剤が収納されたＰＴＰシートと比較して、薬剤収納部の数が少ない。したがって、薬剤収納部の数が１〜２個程度のトレーのみを備えた場合には、薬剤収納部は外力を受けやすい。しかし、トレーを外函内に収納することにより、薬剤収納部を外力から保護し、薬剤収納部の破損を防止することが可能となり、さらに、取出し孔から薬剤が誤って押し出されるのを防ぐことができる。
また、外函には、ＰＴＰシートの薬剤収納部を目視可能な位置に窓部が形成されている。この窓部により、使用者は、薬剤の状態を容易に確認することができる。そして、この窓部は、外函において薬剤収納部の数に依存して形成されるため、１〜２箇所程度設けられるだけでよい。したがって、外函の剛性も良好に保持することができる。
【００１６】
また、前記トレーは、前記ＰＴＰシートを狭持する表片と裏片とを備え、前記取出し孔は、前記表片及び前記裏片に形成され、前記表片の前記取出し孔には、前記薬剤収納部が挿通されてなると好適である。
このように、本発明の包装体は、表片と裏片の板片によってトレーを構成し、これら表片と裏片とにＰＴＰシートを狭持させる構成とすると良い。そして、薬剤収納部を取出し孔に挿通することにより、ＰＴＰシートは、トレーに対してより強固に固定される。したがって、ＰＴＰシートの薬剤収納部を押圧する際、トレーに対してＰＴＰシートの位置ずれを防止することができ、薬剤を容易に取り出すことができる。
【００１７】
このとき、前記トレーは、前記外函から引き出される側に把持部を有し、該把持部は、前記表片から前記薬剤収納部が突出した側に凸設されると共に、押圧された際に略平面状に変形可能であると好適である。
このように、スライドオープン式の包装体において、内部に収納されるトレーに把持部が備えられていると、使用者は容易にトレーを引き出すことができる。そして、使用者に保持されて押圧されることにより、把持部が平面状に変形するため、高齢者のように、指先の力が弱い使用者であっても、容易にトレーを外函から引き出すことができる。したがって、容易に薬剤を取り出すことができる。
【００１８】
さらに、前記外函は、前記把持部と重なる部分が切り欠かれた切り欠き部を備えてなると好ましい。
トレーと外函が完全に重なる形状ではなく、このように、外函において、把持部と重なる位置に切り欠きが設けられていることにより、使用者は、容易に把持部を保持することが可能となる。
【００１９】
また、前記把持部は、前記表片から立ち上がる内側側面と、該内側側面から延設される上面と、該上面から延設される外側側面と、を有する中空体であると好適である。
このように、連続する面からなる中空体によって把持部を構成すると、上方からの外力によって、把持部は容易に平面状となる。したがって、使用者はより確実に把持部を保持することが可能となり、容易にトレーを外函から引き出すことができる。
【００２０】
さらに、前記トレーは、前記外函のスライド方向に沿う縁辺において誘導片が延設されてなると好ましい。
トレーのスライド方向に沿って誘導片が設けられていることにより、トレーと外函とのスライドを容易に行うことが可能となる。例えば、トレーを外函に挿入する際、誘導片の端部を外函の開口内部に当接させることにより、トレーが外函に押し込みやすくなる。また、トレーを外函から引き抜く際、安定してトレーが外函の内部をスライドする。したがって、使用者は、容易に包装体の開閉を行うことができる。
【００２１】
また、前記トレーには、前記把持部に隣接する位置に前記薬剤の服用を促す表示部材が貼付され、該表示部材は、前記表片に貼付される接着部と、該接着部から鉤状に折曲されると共に前記把持部に沿って配設された折曲部と、を有し、前記接着部は、前記表片から剥がされた後、他の物品に再度貼付可能に形成されてなると好適である。
このように、包装体のトレーには、使用者に対して薬剤の服用を促す表示部材が備えられていても良い。そして、その表示部材は、包装体とは異なる物品に再度貼付可能であるため、例えば、カレンダー等の日付管理が可能な物品に表示部材を貼付することができる。これにより、使用者はカレンダー等を見るたびに薬剤の服用日を確認できることから、服用日を認識することができ、薬剤を服用し忘れるのを防止することができる。したがって、週１回、月２回、２週間に１回、４週間に１回、月１回或いは２ヶ月に１回等の、服薬間隔が長い薬剤について、適切な服用管理をすることができる。
さらに、表示部材の接着部以外の箇所を、把持部に沿わせるように折り曲げて配設することにより、使用者は容易に表示部材を保持しやすくなる。その結果、表示部材を容易にトレーから剥がすことができ、別の物品に貼り替えることができる。
【００２２】
さらに、前記表片又は前記裏片は、前記表片と前記裏片とを引き剥がすための剥離起点部を備えてなると好ましい。
このように、表片と裏片とを引き剥がしやすくするため、剥離起点部を備えることにより、使用者は、表片と裏片とをそれぞれ独立に保持し、接着された表片と裏片とを引き剥がしやすくなる。その結果、薬剤をＰＴＰシートから取りだした後、表片と裏片とに狭持されたＰＴＰシートを分別廃棄する際、容易に表片と裏片との間に狭持されたＰＴＰシートを取り外すことができる。
【００２３】
さらにまた、前記トレーには、前記外函のスライド方向に沿って押罫が形成されてなると好適である。
このように、トレーにおいてスライド方向に沿った押罫（エンボス）が形成されることにより、トレーの剛性が向上する。ＰＴＰシートの薬剤収納部を押圧すると、トレーに上方からの力が加わり、トレー自体が撓む可能性があるが、押罫を設けることにより、トレーの剛性が向上するので、トレーを撓みにくくすることができる。したがって、薬剤を押し出しやすくなり、容易に薬剤を取り出すことができる。
【００２４】
また、前記薬剤がビスホスホネート製剤であるとき、本発明の包装体は、特に好適に用いられる。
本発明の包装体は、上記のように、服用管理を適切に行うことができ、且つ高齢者のように、指先を自由に動かすことが難しい使用者にとっても薬剤の取り出しを簡単に行うことができる。ビスホスホネート製剤は、主に骨粗鬆症患者が服用する薬剤であるが、骨粗鬆症患者は高齢者に多く、高齢者は、指先を自由に動かすことができない場合がある。したがって、本発明の包装体は、上記構成により、容易に薬剤を取り出すことができるため、ビスホスホネート製剤を服用する患者（多くは高齢者）の薬剤の取り扱いを容易にする。
また、近年開発された服用間隔が極めて長いビスホスホネート製剤に対し、上記各構成を備えることにより、服用管理が適切に行いやすいため、本発明の包装体は特に有効である。
【００２５】
前記薬剤が、２週間に１回以下の投与頻度である製剤であるとき、本発明の包装体は、好適に用いられる。
本発明の包装体は、一回服用分の薬剤を収納するための包装体であり、特に上記のような服用間隔の長い薬剤の服用管理を適切に行うことが可能である。一回の服用分の薬剤が、一組のトレー及び外函によって包装されており、服用数（服用量）を使用者が誤認しにくくすることができるため、複数の服用回数分の薬剤が収納されたＰＴＰシートと明確に区別することができる。
【発明の効果】
【００２６】
本発明の包装体によれば、一回に服用される量の薬剤のみが一つの包装体に包装されるため、複数の服用回数分の薬剤が収納されたＰＴＰシートと明確に区別することができ、薬剤師の調剤を容易にし、使用者が服用量を誤ることが防止され、薬剤の服用量を的確に管理することができる。そして、このように一回に服用される量の薬剤のみが包装される場合、薬剤の数が少ないために、ＰＴＰシートの薬剤収納部に外力が加わりやすくなるが、外函を備えることによって、薬剤を保護することができる。したがって、本発明の包装体は、特に服用間隔の長い薬剤の服用管理を適切に行うことができ、さらに薬剤を物理的に保護可能であることから、薬剤の保存を好適に行うことができる。
また、包装体のトレーには、取出し孔が形成されているため、薬剤の取り出しを容易に行うことができる。
そして、外函には、ＰＴＰシートの薬剤収納部を目視可能な窓部が形成されているため、使用者は、薬剤の状態を容易に確認することができる。したがって、例えば、薬剤師が薬剤について確認を行う際や、患者に対して薬剤の説明をする際等、容易に薬剤の外観を目視でき、状態を確認することができる。したがって、薬剤の服用管理をより的確、且つ容易に行うことができる。
【図面の簡単な説明】
【００２７】
【図１】本発明の一実施形態に係る包装体の概略斜視図である。
【図２】本発明の一実施形態に係る包装体の概略斜視図である。
【図３】本発明の一実施形態に係るトレーの概略斜視図である。
【図４】本発明の一実施形態に係る包装体の正面図である。
【図５】本発明の一実施形態に係るトレーの正面図である。
【図６】本発明の一実施形態に係る図２のＡ−Ａ線に相当する断面図である。
【図７】本発明の一実施形態に係るトレーの把持部に関する説明図である。
【図８】本発明の一実施形態に係るトレーの展開図である。
【図９】本発明の一実施形態に係る外函の展開図である。
【図１０】本発明の他の実施形態に係る包装体の概略斜視図である。
【発明を実施するための形態】
【００２８】
以下、本発明の一実施形態について、図を参照して説明する。なお、以下に説明する部材、配置等は、本発明を限定するものではなく、本発明の趣旨に沿って各種改変することができることはもちろんである。
【００２９】
図１乃至図９は本発明の一実施形態に係るもので、図１及び図２は包装体の概略斜視図、図３はトレーの概略斜視図、図４は包装体の正面図、図５はトレーの正面図、図６は図２のＡ−Ａ線に相当する断面図、図７はトレーの把持部に関する説明図、図８はトレーの展開図、図９は外函の展開図であり、図１０は本発明の他の実施形態に係る包装体の概略斜視図である。なお、各図において、説明のため、トレー１０及び外函２０を構成する台紙の厚みは誇張して示している。
【００３０】
（包装体Ｐの構成）
本発明の一実施形態に係る包装体Ｐは、図１及び図２で示すように、ＰＴＰシート３０を狭持するトレー１０と、トレー１０とＰＴＰシート３０とを収納する外函２０を備えている。
ＰＴＰシート３０には、薬剤３１が収納された薬剤収納部３２が備えられており、ＰＴＰシート３０は、トレー１０の表片１１と裏片１２との間に狭持されている（図６を参照）。そして、トレー１０は、ＰＴＰシート３０を伴って外函２０に収容され、トレー１０と外函２０とはスライドするように構成されている。また、トレー１０と外函２０のスライド方向（長手方向）の長さは、互いに略同じ長さに形成されている。
【００３１】
トレー１０及び外函２０は、後述するように、それぞれ１枚の厚紙を適宜折り畳むことによって形成されている。したがって、トレー１０及び外函２０を構成する材料は、適度な強度を備えた厚紙とすると、安価に包装体Ｐを製造できるため好ましい。また、厚紙以外でも、適当な剛性を備えていれば、プラスチックフィルム等を用いてもよい。トレー１０及び外函２０は、図８、図９に示される１枚の板片を折り曲げることにより形成されることで、複数の板片を貼合せて形成されるよりも、製造作業時の作業が簡素化されるため、折曲可能な材料を用いるとよい。
【００３２】
図４に示すように、包装体Ｐに収容されるＰＴＰシート３０には、一回に取り出される薬剤３１、すなわち一回分の服用量の薬剤３１が収納されている。本発明における薬剤３１は、週１回、月２回、２週に１回、４週に１回、月１回或いは２ヶ月に１回という服用間隔が極めて長い製剤を対象としている。したがって、薬剤３１の例として、たとえば、ビスホスホネート製剤が挙げられる。
【００３３】
一般に、複数の服用回数分の薬剤が連続して包装されるＰＴＰ包装体においては、薬剤収納部を互いに噛み合わせるように、二枚のＰＴＰ包装体を重ねて保存することにより、薬剤収納部が保護される。しかし、本発明の包装体Ｐは、一回に服用される薬剤３１が収納されるため、薬剤収納部３２の数が少なく、上記の複数の服用回数分の薬剤が包装されたＰＴＰ包装体のように、重ね合わせて保護することができない。したがって、外函２０を備えることにより、外力から薬剤収納部３２を保護することができる。
【００３４】
ＰＴＰシート３０は、公知の形態のものを用いることができ、薬剤収納部３２から押圧することにより、フィルム部３３から薬剤３１を取り出すことができれば、その形状は限定されない。なお、フィルム部３３は、凸状に形成された薬剤収納部３２以外の平滑な部分を指す。
ＰＴＰシート３０の態様として、例えば、複数（たとえば、１０錠程度）の薬剤収納部３２が連続して形成されたシートから、個々のＰＴＰシート３０を適度な大きさ（たとえば、２５ｍｍ×１５ｍｍ程度）で打ち抜き、フィルム部３３の各頂点（角）を丸めて面取りした状態とすると好適である。フィルム部３３の頂点を丸めた状態とすると、包装体Ｐを分解し、分別して廃棄する際、使用者がフィルム部３３の頂点部分によって怪我をすることを防止できる。
【００３５】
そして、ＰＴＰシート３０は、図５及び図６に示すように、トレー１０の表片１１及び裏片１２に狭持される。より詳細には、ＰＴＰシート３０のフィルム部３３がトレー１０の表片１１及び裏片１２に狭持される。
【００３６】
トレー１０の上面に配設される表片１１には、ＰＴＰシート３０の薬剤収納部３２が挿通され、固定される取出し孔１１ａが形成されている。また、トレー１０の下面に配設される裏片１２には、ＰＴＰシート３０を上方から押圧した際に、薬剤３１が挿通可能な取出し孔１２ａが形成されている。したがって、表片１１に形成される取出し孔１１ａと、裏片１２に形成される取出し孔１２ａとは、略重なる位置に、略同形・同大で形成されていると好ましい。
【００３７】
取出し孔１１ａ及び取出し孔１２ａの形状及び大きさは、薬剤３１と、ＰＴＰシート３０の薬剤収納部３２との形状及び大きさに対応して決定される。図３で示すように、本実施形態では取出し孔１１ａと、取出し孔１２ａは長孔状に形成されているが、その他、円形、矩形、菱形等、様々な形状とすることができる。
【００３８】
ただし、取出し孔１１ａ及び取出し孔１２ａの大きさは、ＰＴＰシート３０のフィルム部３３の外径よりも小さく形成される。この構成により、ＰＴＰシート３０は、表片１１及び裏片１２において狭持される。また、取出し孔１１ａ及び取出し孔１２ａの大きさが大きすぎると、トレー１０の剛性が低下し、ＰＴＰシート３０を押圧する際、トレー１０が変形して薬剤３１を取り出しにくくなるため、取出し孔１１ａ及び取出し孔１２ａの大きさは、薬剤収納部３２よりも若干大きい程度とすると良い。      
【００３９】
このように、取出し孔１１ａ及び取出し孔１２ａが備えられたトレー１０にＰＴＰシート３０を狭持させ、そのトレー１０が外函２０に対してスライド式で収納される構成とすることにより、使用者は、薬剤３１を取り出す際、トレー１０をスライドさせ、ＰＴＰシート３０の薬剤収納部３２を押圧するだけでよい。したがって、使用者は薬剤３１の服用時、容易に薬剤３１を取り出すことができる。
【００４０】
また、トレー１０を外函２０から引き出していない状態では、外函２０の底面２２によって取出し孔１２ａが塞がれるため、ＰＴＰシート３０から薬剤３１を押し出すことができなくなる。したがって、使用者以外が、薬剤３１を誤って押し出すのを防止することができる。
【００４１】
取出し孔１１ａ及び取出し孔１２ａの位置は、表片１１及び裏片１２の略中央に形成されている。また、取出し孔１１ａ及び取出し孔１２ａは、トレー１０において、トレー１０がスライドする方向（すなわち、トレー１０の長手方向）を３分割した時（図５のＸ，Ｙ線）、その３分の２（図５のＸ線）よりも把持部１３側に形成されていると好ましい。なお、把持部１３の構成については後述する。
【００４２】
取出し孔１１ａ及び取出し孔１２ａが、トレー１０の長手方向においてトレー１０を３分割した際、把持部１３側の端部から３分の２の位置よりも把持部１３が設けられた側に形成されていると、ＰＴＰシート３０の薬剤３１を押し出す際、トレー１０が撓みにくく、薬剤３１が取り出しやすい。
【００４３】
ＰＴＰシート３０を表片１１及び裏片１２に狭持する際、ＰＴＰシート３０と重ならない位置において、表片１１及び裏片１２に接着剤が塗布される。接着剤は、ホットメルト系、常温硬化性樹脂系、熱硬化性樹脂系、エラストマー系、熱可塑性樹脂系等、公知のものを用いることができ、種類は限定されないが、ホットメルト接着剤を用いると、トレー１０の成形が容易になるため好ましい。なお、接着剤の接着強度は、ＰＴＰシート３０とトレー１０とを分別廃棄する際に剥がれやすく、且つトレー１０の形状を維持できる程度の接着強度とすると良い。
【００４４】
トレー１０は、少なくとも一端が開口した中空の外函２０内に収容され、外函２０の内部をスライド可能である。外函２０は、トレー１０及びトレー１０に狭持されたＰＴＰシート３０を保護するため、トレー１０と略同じ大きさに形成されている。
【００４５】
そして、図２に示されるように、外函２０には、使用者及び薬剤師が薬剤収納部３２に収納された薬剤３１を目視するため、外函２０にトレー１０が完全に収納された状態で、薬剤収納部３２を臨む位置、すなわち目視可能な位置に窓部２１ｂが形成されている。
窓部２１ｂは、トレー１０の取出し孔１１ａと略重なる位置に形成されており、取出し孔１１ａと略同形・同大に形成されている（図６を参照）。
【００４６】
本実施形態において、窓部２１ｂは長孔状に形成されているが、その他、円形、矩形、菱形等、様々な形状とすることができる。ただし、窓部２１ｂの大きさは、ＰＴＰシート３０の薬剤収納部３２と略同形・同大とするとよい。窓部２１ｂが大きすぎると、外函２０の剛性が低下するほか、外函２０の内部に異物が侵入する可能性がある。また、窓部２１ｂが小さすぎると、薬剤収納部３２が目視しにくくなるため、適当でない。なお、窓部２１ｂは、異物の侵入を防止する目的で、透明なフィルムが架設されていても良い。
【００４７】
本発明の包装体Ｐは、複数の服用回数分の薬剤が連続して包装される態様ではないため、薬剤収納部３２の数は１個〜数個程度であり、この数に依存して、外函２０の窓部２１ｂの数が設定されるため、窓部２１ｂの数もまた、１個〜数個程度である。したがって、外函２０の剛性が低下することがない。
【００４８】
トレー１０には、使用者が外函２０からトレー１０を引き出しやすくするため、或いはトレー１０を外函２０に挿入しやすくするため、図３に示すように、トレー１０には誘導片１４，１５がスライド方向に沿って形成されている。また、誘導片１４，１５は、誘導片１４，１５の内側に備えられる薬剤収納部３２を外力から保護する機能も有する。
【００４９】
誘導片１４，１５は、裏片１２においてスライド方向に沿う縁辺から薬剤収納部３２が突出した側に延設されている。すなわち、誘導片１４，１５は、裏片１２の側方から上方に延設されている。誘導片１４，１５は、外函２０の側面２３，２４よりも若干低くなるように形成されている。
【００５０】
トレー１０においてこのような誘導片１４，１５を備える構成とすると、誘導片１４，１５を外函２０の側面２３，２４に当接させながらトレー１０を外函２０に挿入したり、引き出したりすることができる。その結果、外函２０に対してトレー１０を容易に出し入れすることができ、例えば、高齢者等、指先を自由に動かすことが難しい使用者であっても、容易に薬剤３１を服用することができる。
【００５１】
なお、本実施形態では、誘導片１４，１５は、裏片１２から延設された構成としたが、表片１１から延設されていても良い。また、誘導片１４，１５は、表片１１又は裏片１２の縁辺全体から延設された構成を例示したが、縁辺の一部から延設された構成としても良い。
【００５２】
さらに、図３に示すように、トレー１０には、使用者が外函２０からトレー１０を引き出しやすくするため、スライド方向の一端において把持部１３が形成されている。すなわち、表片１１において、スライド方向の一端には把持部１３が形成されている。
【００５３】
把持部１３は、図６に示すように、表片１１から立ち上がる内側側面１３ａと、内側側面１３ａから延設されると共に、外函２０の天面２１に当接する上面１３ｂと、さらに上面１３ｂから延設され、裏片１２に連続する外側側面１３ｃとを有している。そして、内側側面１３ａと、上面１３ｂと、外側側面１３ｃとは、誘導片１４，１５とは固定されておらず、裏片１２を底面とした中空の略直方体を形成する。
【００５４】
このとき、表片１１、内側側面１３ａ、上面１３ｂ、外側側面１３ｃ、裏片１２は、図８に示す連続した一枚の台紙が折り曲げられることにより形成されている。そして、内側側面１３ａ及び外側側面１３ｃが、表片１１及び裏片１２に対して略垂直に立ち上がるように折り曲げられ、さらに上面１３ｂが略水平になるように折り曲げられた状態で、上述のように、一回の服用分の薬剤３１が収められたＰＴＰシート３０を狭持させた後、表片１１と裏片１２が接着される。
【００５５】
把持部１３は、表片１１から、ＰＴＰシート３０の薬剤収納部３２が突出した側に凸設されており、内側側面１３ａ及び外側側面１３ｃの高さは、少なくともＰＴＰシート３０の薬剤収納部３２の高さよりも高くなるように形成されている。したがって、把持部１３は、常時においてはＰＴＰシート３０の薬剤収納部３２よりも上方に突出した構成であるため、外函２０の天面２１から外力が加わった場合であっても、薬剤収納部３２を保護することができる。
【００５６】
本発明の包装体Ｐにおいては、一回に服用する分量の薬剤３１のみが包装されるため、通常用いられるＰＴＰシート等と比較して、薬剤収納部３２の数が極めて少ない。したがって、薬剤収納部３２が多く備えられた包装形態と比較して、本発明の包装体Ｐの薬剤収納部３２は、外力を受けやすくなるが、把持部１３、誘導片１４，１５、さらには外函２０により、薬剤収納部３２が保護される。
【００５７】
そして、把持部１３の上面１３ｂが、外函２０の天面２１に対し、その一部が当接するように形成される。上記構成とすることにより、外函２０と把持部１３によってＰＴＰシート３０の薬剤収納部３２が保護され、好適である。一方、外函２０の天面２１には、把持部１３と重なる部分の一部が切り欠かれており、切り欠き部２１ａを備えている。切り欠き部２１ａは、円弧状に形成された例を図示しているが、Ｖ字形状、Ｕ字形状等、様々な形状で形成されうる。
【００５８】
したがって、使用者は、切り欠き部２１ａから把持部１３の上面１３ｂを押圧可能である。このように、把持部１３の上面１３ｂが上方から押圧されることにより、内側側面１３ａ及び外側側面１３ｃが傾倒し、その結果、常時は上方に突出した把持部１３が平面状に変形する（図７参照）。
【００５９】
このように、トレー１０の一端に把持部１３を設けることにより、使用者が薬剤３１を取り出す際、把持部１３を指先で保持することが容易になる。把持部１３を備えることにより、トレー１０と外函２０とが略同じ大きさに形成されていても、トレー１０が外函２０から引き出しにくくなることがない。さらに、把持部１３は、保持されることにより平面状に潰れるため、高齢者等、指先の力が弱い使用者であっても、把持部１３を確実に保持し、トレー１０を引き出すことができる。
【００６０】
表片１１上であって、把持部１３に隣接する位置には、表示部材４０が貼付される。表示部材４０は、使用者が薬剤３１を服用し忘れることがないように服用を促すために備えられるラベル部材である。このような表示部材４０は、トレー１０の表片１１から剥がされた後、例えばカレンダー、手帳等の日付を確認することができる他の物品に再度貼付可能な接着剤が塗布される。
【００６１】
表示部材４０の表面には、例えば、製剤名、服用日等が記載されている。そして、薬剤３１を処方された際、使用者はトレー１０を外函２０から引き出し、表示部材４０を剥がした後、カレンダー等の日付が確認できるものに再び貼付する。このように、カレンダー上の服用日に表示部材４０を貼付することにより、服用日が近づくと、使用者は薬剤３１を服用すべき日を認識することができる。
【００６２】
上記表示部材４０を備えることにより、包装体Ｐは、使用者に対し、服用日に関する意識を喚起することができる。特に服用間隔が長い薬剤３１は、使用者が服用日を忘れてしまう可能性があるが、このように、表示部材４０をカレンダーや手帳等に貼り付けることによっても服用日を使用者に確認させることができる。したがって、包装体Ｐは、例えば服用間隔が長く、服用日の注意喚起が有用な薬剤３１について、服用管理を的確に且つ容易に行うことができる。
【００６３】
なお、表示部材４０だけでなく、トレー１０及び外函２０においても、製剤名、服用日、服用方法、服用頻度（例えば、「月１回１錠のむお薬です」）に関する注意喚起の文章、服用時の注意事項等が記載されていると好ましい。トレー１０及び外函２０にこのような表示を行うことにより、薬剤３１の服用管理をさらに的確に行うことが可能になる。
【００６４】
表示部材４０は、具体的には、接着剤層を介して表片１１に貼付される接着部４１と、接着部４１から鉤状（Ｌ字状）に折曲され、把持部１３の内側側面１３ａに沿って配設された非接着性の折曲部４２と、を備えている。そして、接着部４１と、折曲部４２との境界部分は、表片１１と、把持部１３の内側側面１３ａとの境界線（すなわち、折り目部分）と重なるようにして表示部材４０が配設される。
【００６５】
表示部材４０の折曲部４２は、接着剤が塗布されていないため、図６に示すように、内側側面１３ａから若干離間して配設される。そして、図７に示すように、把持部１３が使用者によって保持され、トレー１０が外函２０から引き出された際、把持部１３は略平面状になるため、折曲部４２が上方に立ち上がった状態となる。したがって使用者は、折曲部４２を保持することによって表示部材４０を表片１１から容易に剥がすことができる。
【００６６】
このとき、折曲部４２は、そのスライド方向の長さ（上方に立ち上がった際の高さ）が、把持部１３の内側側面１３ａよりも短く（上面１３ｂよりも低く）形成されているとよい。折曲部４２が把持部１３よりも高くなるように形成されていると、トレー１０を外函２０に出し入れする際、折曲部４２に引っ掛かり、出し入れしにくくなる。
【００６７】
一方、折曲部４２は、その長さ（上方に立ち上がった際の高さ）が少なくとも５ｍｍ以上であると好ましい。これよりも短いと、使用者が保持しにくくなり、接着部４１を表片１１から剥がしにくくなる。
【００６８】
このように、包装体Ｐに服用日が記載されているだけでなく、表示部材４０をカレンダー等に貼り付けることにより、服用日の注意喚起を促すことができる。したがって、本発明の包装体Ｐは、例えば服用間隔が長く、服用日の注意喚起が有用な薬剤３１に対して好適に用いられ、的確、且つ容易に服用管理を行うことができる。
【００６９】
表片１１は、把持部１３と対向する縁辺の両端部において、剥離起点部１１ｂが形成されている。剥離起点部１１ｂは、表片１１において把持部１３が形成された側と対向する縁辺を斜めに切り欠くように形成された切除部であり、使用者がトレー１０を廃棄する際、表片１１と裏片１２とを引き剥がしやすくするために形成される。したがって、剥離起点部１１ｂは、表片１１と、裏片１２とを重ね合わせてＰＴＰシート３０を保持した際に完全に重ならないように、表片１１と、裏片１２とは、形状・大きさが異なるように形成されている。
【００７０】
剥離起点部１１ｂは、使用者が薬剤３１を服用した後、ＰＴＰシート３０とトレー１０とを分離し、廃棄する際に、表片１１と裏片１２とが剥がしやすくなるように備えられており、本実施形態では、表片１１において、把持部１３と対向する縁辺において、一部が切除されて形成されている。
【００７１】
剥離起点部１１ｂを設けることにより、表片１１と貼り合わせられた裏片１２は、剥離起点部１１ｂと重なる位置近傍が露出する。そして、裏片１２は、この露出した部分から下方に向かって容易に押し下げられる。したがって、表片１１と裏片１２とを容易に剥がすことができ、その結果、トレー１０からＰＴＰシート３０を容易に分離することができる。
【００７２】
通常、トレー１０は厚紙で形成され、ＰＴＰシート３０はプラスチック等の樹脂及びアルミニウムフィルム等で構成されるため、廃棄の際、分別する必要がある。これに対し、上記のように、表片１１に剥離起点部１１ｂを設けることにより、裏片１２において表片１１側に露出する部分が形成されるため、表片１１と裏片１２とを容易に剥がすことができ、その結果、分別作業を簡素化することができる。
【００７３】
そして、剥離起点部１１ｂは、把持部１３と対向する縁辺において形成されている。把持部１３に対向する縁辺において剥離起点部１１ｂが形成された構成とすると、把持部１３の近傍で剥離起点部１１ｂが形成された構成と比較して、把持部１３の強度が損なわれることなく、使用者が確実に把持部１３を保持することができるため好適である。
【００７４】
また、剥離起点部１１ｂは、本実施形態のように斜めに切除された形状に限定されるものではなく、例えば、表片１１の把持部１３と対向する縁辺において、円弧状に切除されていても良い。さらに、剥離起点部は、使用者が保持しやすいように、表片１１の表面に略垂直に起こされた小片によって構成されていても良い。
【００７５】
なお、剥離起点部は、裏片１２に設けられていても良い。ただし、裏片１２に剥離起点部を設ける構成とすると、表面側から使用者が剥離起点部を認識しにくくなるため、表片１１において剥離起点部１１ｂが設けられる構成が好ましい。
【００７６】
さらに、表片１１と裏片１２とを剥がし易くするために、表片１１は、裏片１２と貼り合わせた際、裏片１２よりもスライド方向（長手方向）において短く形成されている。また、裏片１２から延設される誘導片１４，１５の厚みを吸収するため、その幅が若干裏片１２よりも小さくなるように形成されている。
【００７７】
表片１１においては、裏片１２と接着されない未接着部が備えられており、少なくとも、剥離起点部１１ｂが形成された縁辺から２ｍｍ幅（スライド方向の長さ）の部分が未接着部となるように接着剤が塗布される。これにより、表片１１と裏片１２とがより剥がれやすくなる。さらに、未接着部の長さ（スライド方向に対して垂直な方向の長さ）は少なくとも４ｍｍであると好ましい。上記寸法の未接着部を設けることにより、より確実に表片１１と裏片１２を引き剥がすことが可能となる。
【００７８】
また、図５に示すように、表片１１には、スライド方向（長手方向）に沿って、直線状の押罫１１ｃが形成されている。押罫１１ｃは、使用者がＰＴＰシート３０の薬剤収納部３２を押圧する際に、トレー１０が折れ曲がるのを防止する補強部であり、表片１１の平面に対して溝のように凹んだ部分、或いは表片１１の平面に対して突出した部分であり、主としてエンボス加工を施すことにより形成される。そして、押罫１１ｃは、トレー１０（より詳細には、表片１１）の剛性を向上させるため、取出し孔１１ａを避けた位置に設けられている。本実施形態では、押罫１１ｃは３本形成された例を示しているが、その数はこれに限定されない。ＰＴＰシート３０が押圧された際、表片１１が、変形しない程度の剛性を備えていれば、押罫１１ｃは１本としても良い。ある態様としては、押罫１１ｃは１〜６本である。ただし、均等に力を分散させるため、押罫１１ｃは、取出し孔１１ａを通り、トレー１０のスライド方向に伸びる直線を軸として、対称に形成された構成とすると良い。なお、押罫１１ｃは、直線状に形成された例を示したが、波状、ジグザグ状等、その他の形状に形成されていても良い。
【００７９】
なお、本実施形態において、押罫１１ｃは、表片１１に形成された例を示したが、裏片１２において形成されていても良い。さらに、表片１１及び裏片１２の両方に形成されていても良い。押罫１１ｃの数が多いほど、トレー１０の剛性を向上させることができる。
また、押罫１１ｃは、表側（薬剤収納部３２が突出した側）に突出していても良いし、凹設されていても良い。
【００８０】
そして、トレー１０の剛性をより向上させるため、トレー１０を構成する台紙の紙目（繊維が並んでいる方向）がトレー１０の長手方向（スライド方向）に沿うようにしてトレー１０が形成されていると好ましい。すなわち、トレー１０の紙目は、押罫１１ｃと同じ方向になるようにトレー１０が形成される。
上記構成とすることにより、トレー１０の剛性がさらに向上し、トレー１０が折れ曲がりにくくなるため、薬剤３１の取り出しを容易に行うことができる。
【００８１】
図８及び図９は、それぞれ、トレー１０及び外函２０の展開図である。このように、トレー１０及び外函２０は、それぞれ１枚の台紙を折り曲げることによって形成される。
まず、トレー１０について、図８に基づいて説明する。
【００８２】
トレー１０を構成する台紙は、それぞれ略矩形状に形成された表片１１、把持部１３の内側側面１３ａ、上面１３ｂ、外側側面１３ｃ、裏片１２が連続して備えられている。そして、表片１１、内側側面１３ａ、上面１３ｂ、外側側面１３ｃ、裏片１２は、それぞれ折れ線ｆ１，ｆ２，ｆ３，ｆ４を介して一列に連設して形成されている。また、裏片１２には、外函２０に対するスライド方向に沿う縁辺において、折れ線ｆ５，ｆ６を介して誘導片１４，１５がそれぞれ延出されている。
【００８３】
表片１１、内側側面１３ａ、上面１３ｂ、外側側面１３ｃ、裏片１２、誘導片１４，１５は、それぞれ略矩形状に形成されている。そして、表片１１は、上記のように、内側側面１３ａに対向する縁辺において、剥離起点部１１ｂが形成されている。
【００８４】
トレー１０は、表片１１に形成された取出し孔１１ａにＰＴＰシート３０の薬剤収納部３２が挿入された状態で、表片１１と裏片１２とがホットメルト接着剤等により接着されることにより形成される。このとき、予め把持部１３を形成しておくと良い。把持部１３は、裏片１２と外側側面１３ｃとの境界線（折れ線ｆ４）、外側側面１３ｃと上面１３ｂとの境界線（折れ線ｆ３）、上面１３ｂと内側側面１３ａとの境界線（折れ線ｆ２）、内側側面１３ａと表片１１との境界線（折れ線ｆ１）を折り曲げることにより形成される。
【００８５】
より詳細には、内側側面１３ａと外側側面１３ｃとが略平行であり、且つ、薬剤収納部３２が突出する方向に把持部１３が突出するように、折れ線ｆ１が谷折り、折れ線ｆ２，ｆ３が山折りに折り曲げられる。このとき、上面１３ｂは、表片１１と略平行となる。
そして、裏片１２は、表片１１と平行になるように折れ線ｆ４が山折りに折り曲げられる。このとき、表片１１に形成された取出し孔１１ａと、裏片１２に形成された取出し孔１２ａとは、互いに重なって薬剤３１が挿通可能となるように、表片１１と裏片１２とが貼り合わされる。
【００８６】
このようにして、折れ線ｆ１〜ｆ４が折り曲げられることにより、トレー１０の表片１１及び裏片１２にＰＴＰシート３０が狭持される状態となる。なお、このとき、表片１１に設けられた押罫１１ｃは、薬剤収納部３２が突出する方向（表面側）に突出していても良いし、裏片１２が配設される側（裏面側）に突出していても良い。
【００８７】
なお、厚紙を折り曲げやすくするため、表片１１と把持部１３（内側側面１３ａ）との境界線（折れ線ｆ１）上には、切り込み１３ｄが適宜設けられていると好ましい。このような切り込み１３ｄを形成することにより、表片１１と内側側面１３ａとの境界線（折れ線ｆ１）においてしっかりと折り目を付けることができる。その結果、把持部１３を表片１１から突出させることができ、略直方体状に保持することができる。
【００８８】
表片１１と裏片１２とを貼り合わせる際、薬剤３１を容易に取り出し可能とするため、取出し孔１１ａと取出し孔１２ａとが略重なる位置で貼り合わされる。このようにして、把持部１３は裏片１２、外側側面１３ｃ、上面１３ｂ、内側側面１３ａによって略直方体状に形成される。
【００８９】
さらに、裏片１２の側方には、折れ線ｆ５，ｆ６を介して誘導片１４，１５が設けられている。誘導片１４，１５は、薬剤収納部３２が突出する方向、すなわち把持部１３が表片１１から突出する方向に折り曲げられる。誘導片１４，１５の厚みを吸収するため、また、表片１１と裏片１２とを引き剥がしやすくするため、表片１１は裏片１２よりも若干幅が小さくなるように形成されている。そして、裏片１２と表片１１の幅が異なるため、把持部１３の内側側面１３ａは、表片１１側の幅が若干小さくなるように傾斜して形成されている。すなわち、内側側面１３ａの対向する縁辺は、略同一角度で斜線状に切断されている。
なお、誘導片１４，１５は、裏片１２に備えられた例を示したが、表片１１の長手方向に沿って備えられていても良い。
【００９０】
次に、外函２０について、図９に基づいて説明する。
外函２０を構成する台紙は、それぞれ略矩形状に形成された底面２２、側面２３、天面２１、側面２４、貼着板２６が連続して備えられている。そして、底面２２、側面２３、天面２１、側面２４、貼着板２６は、それぞれ折れ線ｆ１１，ｆ１２，ｆ１３，ｆ１４を介して一列に連設して形成されている。また、天面２１、底面２２には、折れ線ｆ１５，ｆ１６を介して側面２５、貼着板２７がそれぞれ延出されている。
【００９１】
天面２１、底面２２、側面２３、側面２４，２５、貼着板２６，２７は、それぞれ略矩形状に形成されている。そして、天面２１において、側面２５が形成された縁辺（折れ線ｆ１５）に対向する縁辺が切り欠かれており、切り欠き部２１ａが形成されている。さらに、天面２１の略中央には、薬剤３１を目視するための窓部２１ｂが切り抜かれて形成されている。また、側面２５、貼着板２６，２７は、それぞれ開放端が若干幅狭となるように形成されている。
【００９２】
外函２０は、天面２１及び底面２２が対向するように折れ線ｆ１１，ｆ１２，ｆ１３，ｆ１４が折り曲げられた状態で、貼着板２６と底面２２が貼り合わせられる。このとき、貼着板２６は、外函２０の内側、すなわち天面２１側に配設される。
【００９３】
また、天面２１の折れ線ｆ１２から延設される側面２３、折れ線ｆ１３から延設される側面２４、天面２１の切り欠き部２１ａと対向する縁辺（折れ線ｆ１５）から延設される側面２５は外函２０の厚みを構成する。底面２２には、側面２５に貼付される貼着板２７が備えられている。なお、天面２１と側面２５との境界線（折れ線ｆ１５）、及び底面２２と貼着板２７との境界線（折れ線ｆ１６）には、適宜切り込み２５ａ，２７ａがそれぞれ形成されていると好ましい。切り込み２５ａ，２７ａを備えることにより、外函２０の作成が容易になると共に、形状を安定して保持することができる。
【００９４】
外函２０は、上記のように、貼着板２６を底面２２に、貼着板２７を側面２５に貼り合わせることにより、中空の略直方体状に形成される。より詳細には、天面２１と底面２２とが平行になるように折れ線ｆ１１，ｆ１２，ｆ１３，ｆ１４がすべて山折り（又は全て谷折り）に折り曲げられる。
【００９５】
そして、外函２０の内側へ向かって側面２５及び貼着板２７が延設されるように、折れ線ｆ１５，ｆ１６が折り曲げられる。その後、側面２５と貼着板２７とが重ねられて接合される。これにより、略矩形断面の筒状の外函２０を形成することができる。
【００９６】
（製剤例）
本発明の包装体Ｐが好適に使用される薬剤３１は、服用日が特定される薬剤であり、例えば１週間に１回以下の低頻度で投与される服用間隔が長い薬剤である。服用頻度の具体的な例としては、週１回、月２回、２週間に１回、４週間に１回、月１回或いは２ヶ月に１回等が挙げられる。また、本発明の包装体Ｐが好適に使用される薬剤３１は、特定された日に１回のみ服用する必要がある薬剤である。特に、２週間に１回以下の低頻度で投与される薬剤、別の態様としては、４週間に１回若しくは月１回服用されるビスホスホネート製剤が挙げられる。ある態様としては、これらの薬剤は経口投与用の固形製剤であり、また、ある態様としては、錠剤或いはカプセル剤である。
なお、ビスホスホネート製剤としては、ミノドロン酸、アレンドロネート、インカドロネート、クロドロネート、チルドロネート、エチドロネート、イバンドロネート、リセドロネート、ピリドロネート、パミドロネート、ゾレドロネート、オルパドロネート、ネリドロネート等の少なくとも１種を有効成分として包含する製剤が挙げられる。好ましくは、月１回若しくは４週間に１回投与用のミノドロン酸製剤である。
【００９７】
（他の実施形態）
他の実施形態に係る包装体Ｐ’について、図１０を参照して説明する。包装体Ｐ’は、取出し孔（不図示）、窓部１２１ｂを複数備えていることを特徴とする。これ以外の構成は、上記の実施形態で説明した包装体Ｐと同様であるため、その説明を省略する。
【００９８】
包装体Ｐ’は、トレー１１０において、複数の薬剤収納部１３２が挿通される複数の取出し孔を備え、さらに外函１２０において、複数の窓部１２１ｂを備えていることを特徴とする。ただし、ＰＴＰシート内に収められる薬剤１３１は、一つの包装体Ｐ’につき一回に服用される分量である。
【００９９】
取出し孔及び窓部１２１ｂは、トレー１１０が外函１２０に対してスライドする方向に互いに隣り合って形成されている。このとき、複数形成された全ての取出し孔は、トレー１１０において、トレー１１０がスライドする方向（すなわち、トレー１１０の長手方向）に３分割した時、把持部１１３側の端部からの３分の２の位置よりも把持部１１３側に形成されていると好ましい。このような構成とすることにより、ＰＴＰシート１３０を押圧する際、トレー１１０が撓みにくく、薬剤１３１が取り出しやすくなる。
【０１００】
このように、本発明の包装体Ｐ’において、包装される薬剤１３１の数は、１錠だけでなく、２錠以上にすることも可能である。
【符号の説明】
【０１０１】
Ｐ，Ｐ’  包装体
１０，１１０  トレー
１１  表片
１１ａ  取出し孔
１１ｂ  剥離起点部
１１ｃ  押罫
１２  裏片
１２ａ  取出し孔
１３，１１３  把持部
１３ａ  内側側面
１３ｂ  上面
１３ｃ  外側側面
１３ｄ  切り込み
１４，１５  誘導片
２０，１２０  外函
２１  天面
２１ａ  切り欠き部
２１ｂ，１２１ｂ  窓部
２２  底面
２３，２４，２５  側面
２５ａ  切り込み
２６，２７  貼着板
２７ａ  切り込み
３０，１３０  ＰＴＰシート
３１，１３１  薬剤
３２，１３２  薬剤収納部
３３  フィルム部
４０  表示部材
４１  接着部
４２  折曲部
ｆ１〜ｆ６，ｆ１１〜ｆ１６  折れ線
【図１】
2012143308.tif 000003
【図２】
2012143308.tif 000004
【図３】
2012143308.tif 000005
【図４】
2012143308.tif 000006
【図５】
2012143308.tif 000007
【図６】
2012143308.tif 000008
【図７】
2012143308.tif 000009
【図８】
2012143308.tif 000010
【図９】
2012143308.tif 000011
【図１０】
2012143308.tif 000012
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
２週間に１回以下の頻度で服用するように処方される薬剤が収納された薬剤収納部を有するＰＴＰシートを保持するトレーと、該トレーを収容し前記トレーに対してスライドする外函と、を備えた包装体であって、
前記トレーは、前記薬剤収納部と重なる位置に前記薬剤が挿通可能な取出し孔が形成され、
前記外函は、前記薬剤収納部が目視可能となる位置に窓部を有し、
前記薬剤収納部には、一回に服用される薬剤が収納されることを特徴とする包装体。
【請求項２】
前記トレーは、前記ＰＴＰシートを狭持する表片と裏片とを備え、
前記取出し孔は、前記表片及び前記裏片に形成され、
前記表片の前記取出し孔には、前記薬剤収納部が挿通されてなることを特徴とする請求項１に記載の包装体。
【請求項３】
前記トレーは、前記外函から引き出される側に把持部を有し、
該把持部は、前記表片から前記薬剤収納部が突出した側に凸設されると共に、押圧された際に略平面状に変形可能であることを特徴とする請求項２に記載の包装体。
【請求項４】
前記外函は、前記把持部と重なる部分が切り欠かれた切り欠き部を備えてなることを特徴とする請求項３に記載の包装体。
【請求項５】
前記把持部は、前記表片から立ち上がる内側側面と、該内側側面から延設される上面と、該上面から延設される外側側面と、を有する中空体であることを特徴とする請求項３又は４に記載の包装体。
【請求項６】
前記トレーは、前記外函のスライド方向に沿う縁辺において誘導片が延設されてなることを特徴とする請求項１乃至５のいずれか一項に記載の包装体。
【請求項７】
前記トレーには、前記把持部に隣接する位置に前記薬剤の服用を促す表示部材が貼付され、
該表示部材は、前記表片に貼付される接着部と、該接着部から鉤状に折曲されると共に前記把持部に沿って配設された折曲部と、を有し、
前記接着部は、前記表片から剥がされた後、他の物品に再度貼付可能に形成されてなることを特徴とする請求項３乃至６のいずれか一項に記載の包装体。
【請求項８】
前記表片又は前記裏片は、前記表片と前記裏片とを引き剥がすための剥離起点部を備えてなることを特徴とする請求項２乃至７のいずれか一項に記載の包装体。
【請求項９】
前記トレーには、前記外函のスライド方向に沿って押罫が形成されてなることを特徴とする請求項１乃至８のいずれか一項に記載の包装体。
【請求項１０】
前記薬剤は、ビスホスホネート製剤であることを特徴とする請求項１乃至９のいずれか一項に記載の包装体。
【手続補正２】
【補正対象書類名】明細書
【補正対象項目名】００１４
【補正方法】変更
【補正の内容】
【００１４】
前記課題は、本発明に係る包装体によれば、２週間に１回以下の頻度で服用するように処方される薬剤が収納された薬剤収納部を有するＰＴＰシートを保持するトレーと、該トレーを収容し前記トレーに対してスライドする外函と、を備えた包装体であって、前記トレーは、前記薬剤収納部と重なる位置に前記薬剤が挿通可能な取出し孔が形成され、前記外函は、前記薬剤収納部が目視可能となる位置に窓部を有し、前記薬剤収納部には、一回に服用される薬剤が収納されること、により解決される。
【手続補正３】
【補正対象書類名】明細書
【補正対象項目名】００１５
【補正方法】変更
【補正の内容】
【００１５】
このように、本発明の包装体は、一回に服用される薬剤のみが包装体に収められている。したがって、使用者が一回の服用量を誤ることを防止でき、服用管理を的確に行うことができる。
さらに、本発明の包装体は、内部に収納されるトレーにＰＴＰシートが固定される構成であるが、トレー上の薬剤収納部と重なる位置において、薬剤が挿通可能な取出し孔を備えているため、ＰＴＰシートの薬剤収納部（凸部）を押圧するだけで薬剤を取り出し可能である。また、ＰＴＰシートを押圧するには、スライドオープン式の外函からトレーを引き出すだけでよい。したがって、高齢者等、指先を自由に動かすことが難しい使用者にとっても容易に薬剤を取り出すことができる。
一方、一回に服用される薬剤のみが収納されるＰＴＰシートは、薬剤収納部の数が１〜２個程度であり、複数の服用回数分の薬剤が収納されたＰＴＰシートと比較して、薬剤収納部の数が少ない。したがって、薬剤収納部の数が１〜２個程度のトレーのみを備えた場合には、薬剤収納部は外力を受けやすい。しかし、トレーを外函内に収納することにより、薬剤収納部を外力から保護し、薬剤収納部の破損を防止することが可能となり、さらに、取出し孔から薬剤が誤って押し出されるのを防ぐことができる。
また、外函には、ＰＴＰシートの薬剤収納部を目視可能な位置に窓部が形成されている。この窓部により、使用者は、薬剤の状態を容易に確認することができる。そして、この窓部は、外函において薬剤収納部の数に依存して形成されるため、１〜２箇所程度設けられるだけでよい。したがって、外函の剛性も良好に保持することができる。
本発明の包装体は、一回服用分の薬剤を収納するための包装体であり、特に上記のような服用間隔の長い薬剤の服用管理を適切に行うことが可能である。一回の服用分の薬剤が、一組のトレー及び外函によって包装されており、服用数（服用量）を使用者が誤認しにくくすることができるため、複数の服用回数分の薬剤が収納されたＰＴＰシートと明確に区別することができる。
【手続補正４】
【補正対象書類名】明細書
【補正対象項目名】００２５
【補正方法】削除
【補正の内容】